(57)【要約】      （修正有）【課題】人間の身体の各部位に密着させて使用した場合、人間の身体の各部位にフィットし易く、身体に密着させたまま外出あるいは生活できる放射性ボールバッグを提供する。【解決手段】放射性同位元素含有の複数のボール（球体）１を放射線透過性、湯水等の水分透過性、柔軟性かつ速乾性を有する網目状の平板状袋２に封入し、そのボールの封入量を非満杯状態にしてボールバッグを構成する。【選択図】図１
0003149983.tif 000002
【実用新案登録請求の範囲】
【請求項１】
放射性同位元素含有の複数のボールと、
該複数のボールを封入した放射線透過性、湯水等の水分透過性、柔軟性かつ速乾性を有する平板状袋と
を具備し、
前記平板状袋における前記ボールの封入量が非満杯状態である放射性ボールバッグ。
【請求項２】
前記平板状袋が網目状ポリエステルよりなる請求項１に記載の放射性ボールバッグ。
【請求項３】
前記平板状袋が網目状布である請求項１に記載の放射性ボールバッグ。
【請求項４】
前記平板状袋が縫い目によって複数の領域に区分された請求項１に記載の放射性ボールバッグ。
【請求項５】
前記縫い目に隣接する２つの前記領域間に前記ボールの個々が通過可能な孔が設けられた請求項４に記載の放射性ボールバッグ。
【請求項６】
前記平板状袋がハート型である請求項１に記載の放射性ボールバッグ。
【請求項７】
前記平板状袋がまゆ玉型である請求項１に記載の放射性ボールバッグ。
【請求項８】
前記平板状袋がタイ型である請求項１に記載の放射性ボールバッグ。
【請求項９】
前記平板状袋がファン型である請求項１に記載の放射性ボールバッグ。
【請求項１０】
前記平板状袋が歯車型である請求項１に記載の放射性ボールバッグ。
【請求項１１】
前記放射性同位元素が自然放射性同位元素である請求項１に記載の放射性ボールバッグ。
【請求項１２】
前記放射性同位元素が人工放射性同位元素である請求項１に記載の放射性ボールバッグ。
【考案の詳細な説明】
【技術分野】
【０００１】
本考案は放射性同位元素たとえばラジウム含有の放射性ボールバッグに関する。
【背景技術】
【０００２】
自然の放射性同位元素たとえばラジウムは放射線を発生し、その放射線である微量のα線、γ線は種々の鎮痛効果、症状緩和効果及び健康促進効果を有していると言われている。これはホルミシス療法と呼ばれている。このため、秋田県の玉川温泉、台湾の北投温泉等の山間の温泉地では、ラジウム含有の放射性岩盤上にござ、タオル等を敷いてその上に横たわる岩盤浴が行われている。
【０００３】
病中病後あるいは遠方の人が上述の山間の温泉地に行くのは体力、費用及び時間の点から労苦である。このため、玉川温泉産出の「湯の花」と呼ばれる天然の沈殿物を主に天然鉱石素材を粘土に混ぜて焼成したラジウム含有の約5〜8mm径の球体（ボール）に製造し、これを厚手のナイロン（登録商標）の立体的なネットに封入した放射性ボールバッグが株式会社ムースより商品「秋田命泉  玉川の鉱石」（登録商標）として販売されている。この厚手のネットは市販の洗濯ネットでも代用できる。
【考案の概要】
【考案が解決しようとする課題】
【０００４】
しかしながら、上述の従来の放射性ボールバッグは家庭の浴槽の中に入れて岩盤浴あるいはラジウム温泉を自宅等で実現することを前提しているので、人間の身体に直接密着させて使用した場合には人間の身体の各部位にフィットしにくく、この結果、鎮痛効果、症状緩和効果及び健康促進効果が劣るという課題がある。しかも、人間の身体に密着させたまま外出あるいは生活することは不可能である。
【課題を解決するための手段】
【０００５】
上述の課題を解決するために、本考案に係る放射性ボールバッグは、放射性同位元素含有の複数のボールと、複数のボールを封入した放射線透過性、湯水等の水分透過性、柔軟性かつ速乾性を有する平板状袋とを具備し、平板状袋におけるボールの封入量が非満杯状態であるようにしたものである。これにより、平板状袋はボールの“ゆるゆる感”を有し、人間の身体に直接密着させた場合、人間の身体の各部位にフィットするようになる。しかも、人間の身体に密着させたまま外出あるいは生活できる。
【０００６】
また、平板状袋の面積が大きい場合、平板状袋が縫い目によって複数の領域に区分されている。これにより、平板状袋におけるボールの極端な片寄りを防止する。
【０００７】
さらに、縫い目に隣接する複数の領域間にボールの個々が通過可能な孔が設けられる。これにより、ボールを孔を介して各領域間を移動させることにより各領域におけるボールの封入量を調整する。
【考案の効果】
【０００８】
本考案によれば、人間の身体のいかなる各部位にもフィットし易くなり、鎮痛効果、症状緩和効果及び健康促進効果が期待できる。また、人間の身体に密着させたまま外出あるいは生活することができる。
【図面の簡単な説明】
【０００９】
【図１】本考案に係る放射性ボールバッグの第１の実施の形態を示す平面図である。
【図２】本考案に係る放射性ボールバッグの第２の実施の形態を示す平面図である。
【図３】本考案に係る放射性ボールバッグの形態及び着用態様の一例を示す図である。
【図４】本考案に係る放射性ボールバッグの形態及び着用態様の他の例を示す図である。
【図５】本考案に係る放射性ボールバッグの形態及び着用態様の他の例を示す図である。
【図６】本考案に係る放射性ボールバッグの形態及び着用態様の他の例を示す図である。
【図７】本考案に係る放射性ボールバッグの形態及び着用態様の他の例を示す図である。
【図８】本考案に係る放射性ボールバッグをペットに適用した図である。
【考案を実施するための形態】
【００１０】
図１は本考案に係る放射性ボールバッグの第１の実施の形態を示す平面図である。図１において、１は放射性ボール、２は平板状袋である。放射性ボール１はたとえば玉川温泉産出の「湯の花」と呼ばれる天然の沈殿物を主に天然鉱石素材を粘土に混ぜて焼成した放射性同位元素ラジウムを含む約5〜8mm径の球体である。また、平板状袋２は市販の使い捨てカイロの小サイズより少し大きいサイズ（8.5cm×12cm）もしくは大サイズより少し大きいサイズ（11.5cm×17cm）の網目状ポリエステルあるいは網目状布よりなり、放射線透過性、湯水等の水分透過性、柔軟性かつ速乾性を有する。平板状袋２における放射性ボール１の封入量はほぼ30％〜60％であり、この結果、放射性ボール１の“ゆるゆる感”が存在する。従って、図１の放射性ボールバッグはその柔軟性により人間の身体の各部位にフィットし易くなる。尚、もし放射性ボール１を平板状袋２に満杯状態に封入すると、平板状袋２の柔軟性はなくなり、従って、図１の放射性ボールバッグは人間の身体の各部位にフィットしにくくなる。
【００１１】
また、平板状袋２が放射線透過性、湯水等の水分透過性及び速乾性を必要とするのは放射性ボールバッグは皮脂、汗等により汚れるのでときどき洗う必要があるが、常に着用したい人にとっては速く乾かして使用する必要があり、かつ人間の身体にフィットさせたまま入浴し易いからである。こうして、24時間いつでも使用できるようにする。
【００１２】
図２は本考案に係る放射性ボールバッグの第２の実施の形態を示す平面図である。図２においては、平板状袋２が細長い場合に、平板状袋２内に縫い目を設けて複数の領域に区分する。これにより、放射性ボール１の片寄りを防止して各領域に均等に振り分けることができる。尚、この場合、均等に振り分けずに、真中の領域に放射性ボール１を多くして両端の領域に放射性ボール１を少なくすることもでき、また、その逆もできる。たとえば、図２の放射性ボールバッグを人間の腹部に当てる場合には、真中の領域に放射性ボール１を多くする。
【００１３】
図２の（Ａ）は、3連式を示し、図２の（Ｂ）は、5連式を示すが、本考案はこれらに限定されるものでなく、2連式、4連式、6連式、…にも適用できる。
【００１４】
また、図２の放射性ボールバッグにおいては、縫い目２ａ、２ｂ、…に隣接する２つの領域間には放射性ボール１の個々が通過可能な孔２０１を設けてある。これにより、放射性ボール１を指で押すことにより孔２０１を介して領域間で移動させ、各領域のボール封入量をボールのゆるゆる感を維持しながら調整することができる。
【００１５】
上述の放射性ボールバッグの種々の形状及び使用態様が考えられる。たとえば、図３の（Ａ）に示すごとく、ハート型とした場合、図３の（Ｂ）に示すごとく、人間の親指の付け根、首部、肩部等に着用できる。また、図４の（Ａ）に示すごとく、まゆ玉型とした場合、図４の（Ｂ）に示すごとく、人間の眼部に着用できる。さらに、図５の（Ａ）に示すごとく、タイ型とした場合、図５の（Ｂ）に示すごとく、人間の首部、手首、足首等に着用できる。さらにまた、図６の（Ａ）に示すごとく、回りを羽根状にしたファン型とした場合、図６の（Ｂ）に示すごとく、人間の頭部、ひざ、乳房等の丸みのある身体の部位に着用できる。さらにまた、図７の（Ａ）に示すごとく、回りを歯状にした歯車型とした場合、図７の（Ｂ）に示すごとく、人間の頭部全体、腹部全体等に着用できる。
【００１６】
尚、上述の実施の形態においては、放射性ボールバッグを人間の身体に使用させていたが、図８に示すごとく、ペットにも適用できることは言うまでもない。
【００１７】
また、上述の実施の形態における放射性ボール１は、自然放射性同位元素を含むものでも、人工放射性同位元素を含むものでもよい。また、自然放射性同位元素及び人工放射性同位元素の両方を含むものでもよい。
【符号の説明】
【００１８】
１：放射性ボール
２：平板状袋
２ａ、２ｂ、…：縫い目
２０１：孔
【図１】
0003149983.tif 000003
【図２】
0003149983.tif 000004
【図３】
0003149983.tif 000005
【図４】
0003149983.tif 000006
【図５】
0003149983.tif 000007
【図６】
0003149983.tif 000008
【図７】
0003149983.tif 000009
【図８】
0003149983.tif 000010